(57)【要約】【課題】液滴の着弾位置のずれをより効果的に抑制できる液体噴射装置を提供する。【解決手段】ノズル２２を有する記録ヘッド３が搭載されたキャリッジ４を主走査方向に移動させながらノズル２２から液滴を噴射させるプリンター１であって、キャリッジ４が、主走査方向における進行方向の先方の面側に開口した入口開口４１と、主走査方向と交差するノズル列方向におけるノズル２２よりも外方且つ当該ノズル２２よりも液滴の飛翔先側の位置において当該ノズル２２側に向けて開口した出口開口４２と、入口開口４１と出口開口４２とを連通する気体流路４０と、を備えた。【選択図】図３
2017001182.tif 000002
【特許請求の範囲】
【請求項１】
ノズルを有する液体噴射ヘッドが搭載されたキャリッジを第１の方向に移動させながら前記ノズルから液滴を噴射させる液体噴射装置であって、
前記キャリッジは、
前記第１の方向における進行方向の先方の面側に開口した入口開口と、
前記第１の方向と交差する第２の方向における前記ノズルよりも外方且つ当該ノズルよりも前記液滴の飛翔先側の位置において当該ノズル側に向けて開口した出口開口と、
前記入口開口と前記出口開口とを連通する気体流路と、
を備えたことを特徴とする液体噴射装置。
【請求項２】
前記液体噴射ヘッドは、前記ノズルを前記第２の方向に沿って複数配置したノズル列を備え、
前記出口開口は、前記第２の方向における前記ノズル列の両側の外方に、互いに向き合う姿勢で開口したことを特徴とする請求項１に記載の液体噴射装置。
【請求項３】
前記ノズル列の両側に開口した各出口開口は、それぞれ気体流路を介して、異なる入口開口と連通したことを特徴とする請求項２に記載の液体噴射装置。
【請求項４】
前記出口開口の開口面積は、前記入口開口の開口面積以下であることを特徴とする請求項１から請求項３の何れか一項に記載の液体噴射装置。
【請求項５】
前記液体噴射ヘッドは、前記キャリッジが第１の方向に沿って往復移動する際の往動時及び復動時のいずれにおいても前記ノズルから液滴を噴射可能であり、
前記入口開口は、前記キャリッジの前記先方の面側、及び、前記進行方向における後方の面側にそれぞれ開口されたことを特徴とする請求項１から請求項４の何れか一項に記載の液体噴射装置。
【請求項６】
前記第１の方向における先方の面側及び後方の面側に開口した各入口開口は、それぞれ気体流路を介して、一の出口開口と連通したことを特徴とする請求項５に記載の液体噴射装置。
【請求項７】
前記気体流路の途中には、入口開口側から出口開口側に向かう気体の流れを許容する一方、出口開口側から入口開口側に向かう気体の流れを阻害する逆止弁が設けられたことを特徴とする請求項６に記載の液体噴射装置。
【発明の詳細な説明】
【技術分野】
【０００１】
本発明は、液体噴射ヘッドを移動させながらノズルから液滴を噴射させる液体噴射装置に関するものである。
【背景技術】
【０００２】
液体噴射ヘッドを備えた液体噴射装置としては、例えば、インクジェット式プリンターやインクジェット式プロッター等の画像記録装置があるが、最近ではごく少量の液体を所定位置に正確に着弾させることができるという特長を生かして各種の製造装置にも応用されている。例えば、液晶ディスプレイ等のカラーフィルターを製造するディスプレイ製造装置，有機ＥＬ（Electro Luminescence）ディスプレイやＦＥＤ（面発光ディスプレイ）等の電極を形成する電極形成装置，バイオチップ（生物化学素子）を製造するチップ製造装置に応用されている。そして、画像記録装置用の記録ヘッドでは液状のインクを噴射し、ディスプレイ製造装置用の色材噴射ヘッドではＲ（Red）・Ｇ（Green）・Ｂ（Blue）の各色材の溶液を噴射する。また、電極形成装置用の電極材噴射ヘッドでは液状の電極材料を噴射し、チップ製造装置用の生体有機物噴射ヘッドでは生体有機物の溶液を噴射する。
【０００３】
上記の液体噴射装置としては、液体噴射ヘッドが搭載されたキャリッジを記録紙等の記録媒体（着弾対象の一種）の幅方向、即ち、主走査方向に移動させながら液体噴射ヘッドから液滴を噴射（吐出）させるものが知られている。この種の液体噴射装置では、液体噴射ヘッドの移動により生じる空気の流れに影響されて、ノズルから噴射された液滴の着弾位置がずれる問題があった。例えば、図８及び図９に示すように、記録媒体９０に対して記録を行うべく、キャリッジ９１をガイドロッド９２に沿って主走査方向（図８及び図９に示す白抜き矢印の方向）に移動させると、キャリッジ９１に対して主走査方向とは反対側に向かう空気の流れが発生する。この空気の流れは、図８及び図９に示す矢印のように、キャリッジ９１の下方（記録媒体９０側、すなわち、液滴の飛翔先側）において、主走査方向の先方から後方に向かうにつれて次第に主走査方向に直交する方向の外側へ広がるように流れる。このため、キャリッジ９１を移動しながら、このキャリッジ９１に搭載された記録ヘッド９３（液体噴射ヘッドの一種）のノズル９４からインク滴（液滴の一種）を噴射させると、図１０に示す一点鎖線で表す矢印のように、空気の流れの影響を受けて、主走査方向に直交する方向の外側に位置するノズル９４ほど当該方向の外側に向けて飛翔し易くなる。その結果、インク滴の着弾位置がずれ、画質が悪化する虞がある。このような、空気の流れによる着弾位置のずれを抑制するべく、ノズルが開口したノズル面に主走査方向に沿って延在された突起部を設け、この突起部により仕切られた整流路によって空気の流れを整流する技術が開発されている（例えば、特許文献１参照）。
【先行技術文献】
【特許文献】
【０００４】
【特許文献１】特開２００７−２９６６９６号公報
【発明の概要】
【発明が解決しようとする課題】
【０００５】
しかしながら、上記の特許文献１のようにノズル面に突起部を設ける構成の場合、ノズル面が平坦にならないため、ワイパー等によるノズル面の清掃が困難になる。また、突起部の高さが高くなると、記録媒体と突起部との距離が近くなり、記録媒体が突起部に衝突し易くなる。その結果、記録媒体が汚損される虞がある。記録媒体の衝突を避けるべく、突起部の高さを低くすると、空気の流れを十分に整流することができず、着弾位置のずれを抑制できない虞がある。
【０００６】
本発明は、このような事情に鑑みてなされたものであり、その目的は、液滴の着弾位置のずれをより効果的に抑制できる液体噴射装置を提供することにある。
【課題を解決するための手段】
【０００７】
本発明の液体噴射装置は、上記目的を達成するために提案されたものであり、ノズルを有する液体噴射ヘッドが搭載されたキャリッジを第１の方向に移動させながら前記ノズルから液滴を噴射させる液体噴射装置であって、
前記キャリッジは、
前記第１の方向における進行方向の先方の面側に開口した入口開口と、
前記第１の方向と交差する第２の方向における前記ノズルよりも外方且つ当該ノズルよりも前記液滴の飛翔先側の位置において当該ノズル側に向けて開口した出口開口と、
前記入口開口と前記出口開口とを連通する気体流路と、
を備えたことを特徴とする。
【０００８】
この構成によれば、キャリッジの移動に伴って、入口開口から流入した空気が出口開口からノズルに向けて流出するため、当該キャリッジの移動により生じる空気の流れによって、ノズルから噴射された液滴が第１の方向とは異なる方向に飛翔することが抑えられる。その結果、液滴の着弾位置のずれを抑制することができる。
【０００９】
また、上記構成において、前記液体噴射ヘッドは、前記ノズルを前記第２の方向に沿って複数配置したノズル列を備え、
前記出口開口は、前記第２の方向における前記ノズル列の両側の外方に、互いに向き合う姿勢で開口することが望ましい。
【００１０】
この構成によれば、ノズル列の両端部に位置するノズルから噴射された液滴の着弾位置のずれを抑制することができる。
【００１１】
さらに、上記構成において、前記ノズル列の両側に開口した各出口開口は、それぞれ気体流路を介して、異なる入口開口と連通することが望ましい。
【００１２】
この構成によれば、一の出口開口に空気の流れが偏ることを抑制できる。
【００１３】
また、上記各構成において、前記出口開口の開口面積は、前記入口開口の開口面積以下であることが望ましい。
【００１４】
この構成によれば、出口開口から流出する空気の流速（風速）を速めることができる。その結果、キャリッジの移動により生じる空気の流れによる液滴の飛翔曲りをより確実に抑制することができる。
【００１５】
さらに、上記各構成において、前記液体噴射ヘッドは、前記キャリッジが第１の方向に沿って往復移動する際の往動時及び復動時のいずれにおいても前記ノズルから液滴を噴射可能であり、
前記入口開口は、前記キャリッジの前記先方の面側、及び、前記進行方向における後方の面側にそれぞれ開口されることが望ましい。
【００１６】
この構成によれば、往動時及び復動時の双方向で液滴を噴射することで、記録媒体への記録速度を速めることができる。また、往動時及び復動時のいずれにおいても、キャリッジの移動により生じる空気の流れによる液滴の飛翔曲りを抑制することができる。その結果、液滴の着弾位置のずれによる画質の悪化を抑制しつつ、高速記録が可能になる。
【００１７】
また、上記構成において、前記第１の方向における先方の面側及び後方の面側に開口した各入口開口は、それぞれ気体流路を介して、一の出口開口と連通することが望ましい。
【００１８】
この構成によれば、往動時と復動時とで出口開口を共通にできるため、気体流路の構成を簡単にできる。
【００１９】
さらに、上記構成において、前記気体流路の途中には、入口開口側から出口開口側に向かう気体の流れを許容する一方、出口開口側から入口開口側に向かう気体の流れを阻害する逆止弁が設けられることが望ましい。
【００２０】
この構成によれば、空気の逆流を抑制でき、出口開口から流出する空気の流速（風速）を速めることができる。その結果、往動時及び復動時のいずれにおいても、キャリッジの移動により生じる空気の流れによる液滴の飛翔曲りを抑制する効果をより高めることができる。
【図面の簡単な説明】
【００２１】
【図１】プリンターの内部構成を説明する正面図である。
【図２】記録ヘッドを構成する単位ヘッドを説明する要部を拡大した断面図である。
【図３】記録ヘッドを搭載したキャリッジの斜視図である。
【図４】記録ヘッドを搭載したキャリッジの底面図である。
【図５】図４におけるＡ−Ａ断面図である。
【図６】図４におけるＢ−Ｂ断面図である。
【図７】記録ヘッドを搭載した第２の実施形態におけるキャリッジの斜視図である。
【図８】記録ヘッドを搭載した従来のキャリッジの斜視図である。
【図９】記録ヘッドを搭載した従来のキャリッジの底面図である。
【図１０】図９におけるＣ−Ｃ断面図である。
【発明を実施するための形態】
【００２２】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明に係る液体噴射ヘッドの一種であるインクジェット式記録ヘッド（以下、記録ヘッド）を搭載した液体噴射装置の一種であるインクジェット式プリンター（以下、プリンター）を例に挙げて説明する。
【００２３】
プリンター１の構成について、図１を参照して説明する。プリンター１は、記録紙等の記録媒体２（着弾対象の一種）の表面に対してインク（液体の一種）を噴射して画像等の記録を行う装置である。このプリンター１は、記録ヘッド３、この記録ヘッド３が取り付けられるキャリッジ４、キャリッジ４を主走査方向（本発明における第１の方向に相当）に移動させるキャリッジ移動機構５、記録媒体２を副走査方向（第１の方向に直交する第２の方向）に移送する搬送機構６等を備えている。ここで、上記のインクは、液体供給源としてのインクカートリッジ７に貯留されている。このインクカートリッジ７は、キャリッジ４、すなわち記録ヘッド３に対して着脱可能に装着される。なお、インクカートリッジがプリンターの本体側に配置され、当該インクカートリッジからインク供給チューブを通じて記録ヘッドに供給される構成を採用することもできる。
【００２４】
上記のキャリッジ移動機構５はタイミングベルト８を備えている。そして、このタイミングベルト８はＤＣモーター等のパルスモーター９により駆動される。したがってパルスモーター９が作動すると、キャリッジ４は、プリンター１に架設されたガイドロッド１０に案内されて、主走査方向（記録媒体２の幅方向）に往復移動する。キャリッジ４の主走査方向の位置は、位置情報検出手段の一種であるリニアエンコーダー（図示せず）によって検出される。リニアエンコーダーは、その検出信号、即ち、エンコーダーパルス（位置情報の一種）をプリンター１の制御部に送信する。
【００２５】
また、キャリッジ４の移動範囲内における記録領域よりも外側の端部領域には、キャリッジ４の走査の基点となるホームポジションが設定されている。本実施形態におけるプリンター１は、このホームポジションから反対側の端部へ向けてキャリッジ４が移動する往動時と、反対側の端部からホームポジション側にキャリッジ４が戻る復動時との双方向で記録媒体２上に文字や画像等を記録する所謂双方向記録を行う。なお、ホームポジションには、端部側から順に、記録ヘッド３のノズル面（ノズルプレート２１）に形成されたノズル２２を封止するキャップ１３、及び、ノズル面を払拭するためのワイピングユニット１４が配置されている。
【００２６】
記録領域、すなわち記録動作時における記録ヘッド３の下方には、当該記録ヘッド３に対して間隔を空けてプラテン１２が配置されている。搬送機構６（例えば、プラテンローラー等）は、主走査方向に直交する副走査方向においてプリンター１の後方に設けられており、プラテン１２の後方からプラテン１２側に向けて記録媒体２を搬送する。
【００２７】
次に記録ヘッド３について説明する。本実施形態における記録ヘッド３は、図４に示すように、複数（本実施形態では４つ）の単位ヘッド１６を備えている。図２は、一の単位ヘッド１６の要部を説明する断面図である。単位ヘッド１６は、図２に示すように、圧力発生ユニット１７および流路ユニット１８を備え、これらの部材が積層された状態でヘッドケース１９に取り付けて構成されている。
【００２８】
ヘッドケース１９は、合成樹脂製の箱体状部材であり、その内部には液体導入路２０が形成されている。この液体導入路２０の上端部は、図示しない液体流路を介してインクカートリッジ７と連通する。流路ユニット１８は、複数のノズル２２を列状に配置してなるノズル列２３を備えたノズルプレート２１、および液体供給路２５が設けられた連通基板２４を有している。ノズル列２３は、一端側のノズル２２から他端側のノズル２２までドット形成密度に対応したピッチ（例えば６００ｄｐｉ）で、主走査方向（すなわち、第１の方向）と交差する第２の方向（本実施形態では副走査方向）に沿って形成されている。液体供給路２５は、複数の圧力室３０に共通の流路として圧力室３０の列設方向に沿って長尺に形成されている。この液体供給路２５を介して、液体導入路２０からのインクが各圧力室３０に分配される。
【００２９】
圧力発生ユニット１７は、圧力室３０が形成された圧力室形成基板２９、可撓性を有する振動板３１、圧力発生手段の一種である圧電素子３２及び当該圧電素子３２を保護する保護基板３３が積層されてユニット化されている。圧力室３０は、ノズル列２３に対応して、ノズル列方向に沿って複数形成されている。各圧力室３０は、液体供給路２５の連通口とは反対側の端部で、連通基板２４に形成されたノズル連通路３５を介して対応するノズル２２と連通する。本実施形態の圧電素子３２は、所謂撓みモードの圧電素子であり、圧力室３０の上部を覆うように形成されている。なお、各圧電素子３２は、その端子部が図示しないフレキシブルケーブル等の配線部材に電気的に接続されている。
【００３０】
このように構成された単位ヘッド１６は、図４に示すように、主走査方向に沿って複数並べられた状態でヘッドホルダ３６に固定されている。本実施形態では、４つの単位ヘッド１６がヘッドホルダ３６に固定されている。そして、このように構成された記録ヘッド３では、制御部からの駆動信号により、キャリッジ４が主走査方向に沿って往復移動する際の往動時及び復動時のいずれにおいてもノズル２２からインク滴を噴射する。具体的には、液体導入路２０、液体供給路２５等の液体流路を介してインクカートリッジ７からのインクを圧力室３０内に取り込む。そして、制御部からの駆動信号を圧電素子３２に供給することで、圧電素子３２を駆動させて圧力室３０に圧力変動を生じさせる。この圧力変動を利用することでノズル２２からインク滴を噴射する。
【００３１】
次に上記の記録ヘッド３が搭載されたキャリッジ４について説明する。図３は、記録ヘッド３を搭載したキャリッジ４の斜視図である。図４は、記録ヘッド３を搭載したキャリッジ４の底面図である。図５は、図４におけるＡ−Ａ断面図であり、図６は、図４におけるＢ−Ｂ断面図である。なお、図３〜図５において、矢印及び破線矢印は、風の流れる方向を表している。また、図３及び図４において、白抜き矢印は主走査方向を表している。さらに、図５において、一点鎖線で表す矢印はインク滴の飛翔方向を表している。
【００３２】
本実施形態におけるキャリッジ４は、合成樹脂製の箱体状部材であり、その上部にインクカートリッジ７が装着されるように構成されている。図１及び図５に示すように、記録ヘッド３は、キャリッジ４の底面の開口にノズルプレート２３を露出させた状態でこのキャリッジ４の内部に取り付けられている。また、図３に示すように、キャリッジ４の側面には、空気の通り道となる気体流路４０が当該キャリッジ４の側面に沿って設けられている。この気体流路４０の一端側には入口開口４１が開設されており、他端側には出口開口４２が開設されている。すなわち、気体流路４０は、入口開口４１と出口開口４２とを連通する。
【００３３】
具体的に説明すると、本実施形態における入口開口４１は、図３に示すように、主走査方向における一方の面４ａ（ホームポジションとは反対側の面）及び他方の面４ｂ（ホームポジション側の面）にそれぞれ２つずつ、合計４つ開口されている。一方の面４ａの２つの入口開口４１（４１ａ、４１ｂ）は、図３に示すように、ノズル列方向における左右に並べられている。図示されてはいないが、同様に、他方の面４ｂの２つの入口開口４１は、ノズル列方向における左右に並べられている。なお、本実施形態における各入口開口４１は、矩形状に形成されているが、その他の形状であっても良い。また、各入口開口４１の開口面積は、ほぼ同じ面積に揃えられている。そして、キャリッジ４が主走査方向に移動する際、進行方向における先方の面の入口開口４１に空気が流入する。すなわち、キャリッジ４がホームポジション側から反対側に向かう往動時には、進行方向の先方の面である一方の面４ａの２つの入口開口４１（４１ａ、４１ｂ）に、それぞれ空気が流入する。同様に、キャリッジ４がホームポジションとは反対側からホームポジション側に向かう復動時には、進行方向の先方の面である他方の面４ｂの２つの入口開口４１に、それぞれ空気が流入する。一の入口開口４１に流入した空気は、気体流路４０内を流れて、図４又は図５に示すように、ノズル列方向（すなわち第２の方向、本実施形態では副走査方向）におけるノズル２２よりも外方且つ当該ノズル２２よりも下方（記録媒体２側、すなわちインク滴の飛翔先側）の位置において当該ノズル２２側に向けて開口した出口開口４２からノズル列２３に向けて流出する。
【００３４】
本実施形態における出口開口４２は、ノズル列方向におけるノズル列２３の両側の外方において、互いに向き合う姿勢で開口されている。各出口開口４２は、図６に示すように、主走査方向に沿って長尺なスリット状に形成されている。具体的には、各出口開口４２は、図４に示すように、記録ヘッド３の主走査方向に沿って複数並べられたノズル列２３のうち一方の端に位置するノズル列２３よりも外側から他方の端に位置するノズル列２３よりも外側まで延在され、各ノズル列２３に向けて空気を送るように構成されている。なお、各出口開口４２の開口面積は、ほぼ同じ面積に揃えられている。そして、一側（例えば、副走査方向における上流側、すなわち副走査方向におけるキャリッジ４の一側面４ｃ側）の出口開口４２（４２ａ）は、主走査方向における一方の面４ａにおける一側の入口開口４１（４１ａ）及び他方の面４ｂにおける一側の入口開口４１と連通する。また、他側（例えば、副走査方向における下流側、すなわち副走査方向におけるキャリッジ４の他側面４ｄ側）の出口開口４２（４２ｂ）は、一方の面４ａにおける他側の入口開口４１（４１ｂ）及び他方の面４ｂにおける他側の入口開口４１と連通する。すなわち、ノズル列２３の両側に開口した各出口開口４２は、それぞれ気体流路４０を介して、異なる入口開口４１と連通する。
【００３５】
ここで、一の出口開口４２の開口面積は、一の入口開口４１の開口面積以下に設定されている。すなわち、入口開口４１の開口面積をＳ１（図３参照）、出口開口４２の開口面積をＳ２（図６参照）としたとき、Ｓ１≧Ｓ２が成り立つように構成されている。これにより、出口開口４２から流出する空気の流速（風速）を速めることができる。
【００３６】
本実施形態における気体流路４０は、上流側（入口開口４１側）において個別の入口開口４１に対応してそれぞれ個別に形成された個別流路４４と、下流側（出口開口４２側）において一方の面４ａの入口開口４１と他方の面４ｂの入口開口４１とで共通の流路となるように形成された共通流路４５と、を備えている。一方の面４ａの個別流路４４は、一方の面４ａの入口開口４１（４１ａ、４１ｂ）からキャリッジ４の一側面４ｃ又は他側面４ｄ（副走査方向に対して垂直な面）側に向けて、キャリッジ４の一方の面４ａ（主走査方向に対して垂直な面）に沿ってその端部に至るまで延在されている。そして、キャリッジ４の一方の面４ａの端部において、キャリッジ４の一側面４ｃ又は他側面４ｄ側に屈曲し、当該側面４ｃ、４ｄに沿って延在されている。さらに、キャリッジ４の一側面４ｃ又は他側面４ｄにおいて、各個別流路４４は、主走査方向に沿って同方向におけるキャリッジ４の中央部であって、他の個別流路４４と交わらない位置まで延在し、そこから下方（記録媒体２側）に向けて屈曲されて下方の共通流路４５に接続されている。同様に、他方の面４ｂの個別流路４４は、他方の面４ｂの入口開口４１から当該面４ｂに沿ってその端部に至るまで延在され、キャリッジ４の一側面４ｃ又は他側面４ｄ側に屈曲されている。そして、キャリッジ４の一側面４ｃ又は他側面４ｄにおいて、各個別流路４４は、主走査方向におけるキャリッジ４の中央部まで延在し、そこから下方（記録媒体２側）に向けて屈曲されて下方の共通流路４５に接続されている。なお、一方の面４ａ又は他方の面４ｂにおいて、隣り合う入口開口４１に対応する個別流路４４は、入口開口４１間において仕切り壁４３により区画されている。
【００３７】
共通流路４５は、キャリッジ４の一側面４ｃ又は他側面４ｄの下方において、主走査方向における一方の端部から他方の端部に亘って長尺に形成されている。より具体的には、共通流路４５は、主走査方向において、並設された複数のノズル列２３のうち一方の端に位置するノズル列２３に対応する位置よりも外側の位置から他方の端に位置するノズル列２３に対応する位置よりも外側の位置に亘って形成されている。一方の面４ａ側から延在された個別流路４４及び他方の面４ａ側から延在された個別流路４４は、この共通流路４５の上端部のそれぞれ異なる位置に接続されている。そして、共通流路４５の下端部は、キャリッジ４の一側面４ｃ又は他側面４ｄの下端部においてノズル面（ノズルプレート２１）側に屈曲され、図４及び図５に示すように、当該ノズル面に沿ってノズル２２と干渉しない位置まで延在されている。この共通流路４５のノズル２２側の端部に出口開口４２が開設されている。
【００３８】
このように、キャリッジ４が入口開口４１から出口開口４２に至る気体流路４０を備えたので、図３〜図５に示すように、キャリッジ４の主走査方向への移動に伴って、入口開口４１から流入した空気を出口開口４２からノズル２２に向けて流出させることができる。すなわち、図３に示すように、入口開口４１から流入した空気は、個別流路４４内を通過して長尺な共通流路４５に入ると、この共通流路４５の幅方向（主走査方向）に広がって流れる。その後、共通流路４５を流下する空気の流れは、図５に示すように、当該共通流路４５に沿ってノズル列２３側に方向を変える。そして、図４に示すように、複数ノズル列２３に亘ってスリット状に開口した出口開口４２から当該ノズル列２３に向かって吹き出す。これにより、キャリッジ４の移動により生じる空気の流れを整流することができる。すなわち、図９に示すように、ノズル面の下方において、ノズル列方向の外側へ広がろうとする空気の流れを抑え、主走査方向に沿って流れ易くすることができる。その結果、ノズル２２から噴射されたインク滴が主走査方向とは異なる方向に飛翔することを抑制でき、図５に示すように、インク滴の着弾位置のずれを抑制することができる。
【００３９】
特に、本実施形態における出口開口４２は、ノズル列２３の両側の外方において、互いに向き合う姿勢で開口されているので、外側（主走査方向とは異なる方向）に外れ易いノズル列２３の両端部に位置するノズル２２から噴射されたインク滴の着弾位置のずれを抑制することができる。また、ノズル列２３の両側に開口した各出口開口４２を、それぞれ異なる入口開口４１と連通させたので、一の出口開口４２に空気の流れが偏ることを抑制できる。これにより、ノズル列２３の両端部に位置するノズル２２から噴射されたインク滴の着弾位置のずれをより確実に抑制することができる。さらに、出口開口４２の開口面積Ｓ２は、入口開口４１の開口面積Ｓ１以下にしたので、出口開口４２から流出する空気の流速（風速）を速めることができる。その結果、キャリッジ４の移動により生じる空気の流れによるインク滴の飛翔曲りをより確実に抑制することができる。
【００４０】
また、本実施形態におけるプリンター１は、キャリッジ４が主走査方向に沿って往復移動する際の往動時及び復動時のいずれにおいてもノズル２２からインク滴を噴射可能に構成されたので、キャリッジ４の往動時及び復動時の双方向でインク滴を噴射する所謂双方向記録を行うことができ、記録媒体２への記録速度を速めることができる。そして、入口開口４１が主走査方向におけるキャリッジ４の進行方向の先方の面及び後方の面（一方の面４ａ及び他方の面４ｂ）にそれぞれ開口されたので、往動時及び復動時のいずれにおいても、キャリッジ４の移動により生じる空気の流れによるインク滴の飛翔曲りを抑制することができる。その結果、インク滴の着弾位置のずれによる画質の悪化を抑制しつつ、高速記録が可能になる。さらに、主走査方向における進行方向の先方の面及び後方の面（一方の面４ａ及び他方の面４ｂ）に開口した各入口開口４１は、それぞれ気体流路４０を介して、一の出口開口４２と連通するので、先方の面の入口開口４１に連通する出口開口４２と後方の面の入口開口４１に連通する出口開口４２とを別々に設ける必要が無く、気体流路４０の構成を簡単にできる。また、往動時と復動時とで出口開口４２を共通にできるため、往動時と復動時とで出口開口４２から流出する空気の流れをほぼ同じにすることができる。これにより、往動時と復動時とで空気の流れが異なることによる着弾位置のずれを抑制することができる。
【００４１】
ところで、上記した第１の実施形態では、入口開口４１がキャリッジ４の一方の面４ａ及び他方の面４ｂ（進行方向における先方の面及び後方の面）に開口したが、これには限られない。入口開口が、キャリッジの進行方向における先方の面側及び後方の面側に向けて開口していれば、キャリッジのどの位置に開口していても良い。例えば、図７に示す第２の実施形態では、キャリッジの一方の面４ａ及び他方の面４ｂには入口開口４１′及び気体流路４０′が形成されず、キャリッジの一側面４ｃ及び他側面４ｄに入口開口４１′が設けられている。
【００４２】
具体的には、図７に示すように、キャリッジ４′の一側面４ｃ及び他側面４ｄの両側面において、一方の面４ａ側の気体流路４０′の端部及び他方の面４ｂ側の気体流路４０′の端部に、それぞれ一方の面４ａ側及び他方の面４ｂ側に向けて縦長なスリット状の入口開口４１′が開口されている。また、本実施形態における気体流路４０′の入口開口４１′側を構成する個別流路４４′は、一側面４ｃ又は他側面４ｄにおいて、入口開口４１′からキャリッジ４′の主走査方向に沿って同方向におけるキャリッジ４′の中央部であって、他の個別流路４４′と交わらない位置まで延在し、そこから下方（記録媒体２側）に向けて屈曲されて下方の共通流路４５′に接続されている。
【００４３】
そして、個別流路４４′の共通流路４５′側の端部には、逆止弁４７が設けられている。この逆止弁４７は、入口開口４１′側から出口開口４２′側に向かう気体の流れを許容する一方、出口開口４２′側から入口開口４１′側に向かう気体の流れを阻害する。これにより、空気の逆流を抑制でき、出口開口４２′から流出する空気の流速（風速）を速めることができる。具体的には、往動時において、先方の面である一方の面４ａ側の入口開口４１′から流入した空気が、後方の面である他方の面４ｂ側の入口開口４１′に対応する個別流路４４′に流入することを抑制でき、出口開口４２′から流出する空気の勢いが弱まることを抑制できる。また、復動時において、先方の面である他方の面４ｂ側の入口開口４１′から流入した空気が、後方の面である一方の面４ａ側の入口開口４１′に対応する個別流路４４′に流入することを抑制でき、出口開口４２′から流出する空気の勢いが弱まることを抑制できる。その結果、往動時及び復動時のいずれにおいても、キャリッジ４′の移動により生じる空気の流れによるインク滴の飛翔曲りを抑制する効果をより高めることができる。なお、逆止弁４７は、個別流路４４′の共通流路４５′側の端部に限らず、個別流路４４′の途中であれば、いずれの場所に設けられていても良い。また、その他の構成は、上記した第１の実施形態と同じであるため、説明を省略する。
【００４４】
ところで、上記した各実施形態では、出口開口４２がノズル列２３の両側の外方にそれぞれ設けられていたが、これには限られない。すなわち、キャリッジの一側面側又は他側面側の何れか一方に出口開口が設けられていればよい。また、上記した各実施形態では、副走査方向に沿って形成されたノズル列２３を備えた記録ヘッド３を有するプリンター１を例示したが、これには限られない。例えば、ノズル列が副走査方向とは異なる方向に形成された記録ヘッドを有するものにも本発明を適用できる。その他、列状に配置されていないノズルを備えた記録ヘッドを有するものにも本発明を適用できる。さらに、上記した各実施形態では、双方向記録を行う記録ヘッド３を例示したが、これには限られない。記録ヘッドが往動時又は復動時の何れか一方で記録動作を行うように構成されたものにも本発明を適用できる。この場合、キャリッジを移動させる方向（すなわち、第１の方向）における先方の面側にのみ、入口開口を設ければよい。
【００４５】
また、上記した各実施形態では、先方の面側又は後方の面側（一方の面４ａ側又は他方の面４ｂ側）に、異なる出口開口４２と連通する２つの入口開口４１を備えていたが、すなわち、ノズル列２３の両側に開口した各出口開口４２は、それぞれ異なる入口開口４１と連通されたが、これには限られない。例えば、先方の面側又は後方の面側（一方の面側又は他方の面側）に、入口開口を１つ設け、この入口開口から気体流路を分岐させて、ノズル列の両側に開口した各出口開口に連通させても良い。さらに、先方の面側（一方の面４ａ側）に開口した入口開口４１及びこれに相対する後方の面側（他方の面４ｂ側）に開口した入口開口４１は、一の出口開口４２と連通されたが、これには限られない。例えば、先方の面側（一方の面側）の入口開口に対応する出口開口と、後方の面側（他方の面側）の入口開口に対応する出口開口とを異ならせても良い。すなわち、先方の面側及び後方の面側に形成された４つの入口開口に対応させて、出口開口を４つ備えても良い。
【００４６】
そして、以上では、液体噴射ヘッドとして、インクジェットプリンターに搭載されるインクジェット式記録ヘッドを備えたものを例示したが、インク以外の液体を噴射するものにも適用することができる。例えば、液晶ディスプレイ等のカラーフィルターの製造に用いられる色材噴射ヘッド、有機ＥＬ（Electro Luminescence）ディスプレイ、ＦＥＤ（面発光ディスプレイ）等の電極形成に用いられる電極材噴射ヘッド、バイオチップ（生物化学素子）の製造に用いられる生体有機物噴射ヘッド等を備えたものにも本発明を適用することができる。
【符号の説明】
【００４７】
１…プリンター，２…記録媒体，３…記録ヘッド，４…キャリッジ，５…キャリッジ移動機構，６…搬送機構，７…インクカートリッジ，８…タイミングベルト，９…パルスモーター，１０…ガイドロッド，１２…プラテン，１３…キャップ，１４…ワイピングユニット，１６…単位ヘッド，１７…圧力発生ユニット，１８…流路ユニット，１９…ヘッドケース，２０…液体導入路，２１…ノズルプレート，２２…ノズル，２３…ノズル列，２４…連通基板，２５…液体供給路，２９…圧力室形成基板，３０…圧力室，３１…振動板，３２…圧電素子，３３…保護基板，３５…ノズル連通路，３６…ヘッドホルダ，４０…気体流路，４１…入口開口，４２…出口開口，４３…仕切り壁，４４…個別流路，４５…共通流路，４７…逆止弁
【図１】
2017001182.tif 000003
【図２】
2017001182.tif 000004
【図３】
2017001182.tif 000005
【図４】
2017001182.tif 000006
【図５】
2017001182.tif 000007
【図６】
2017001182.tif 000008
【図７】
2017001182.tif 000009
【図８】
2017001182.tif 000010
【図９】
2017001182.tif 000011
【図１０】
2017001182.tif 000012